(57)【要約】【課題】吸引ヘッド及びそれを用いた吸引装置の液体の吸引効率を向上させる。【解決手段】吸引ヘッド１は、ヘッド本体３と、第１貫通孔５ａと、第１溝７と、第１突起部９とを備えている。第１貫通孔５ａはヘッド本体３の上面３ａから下面３ｂに貫通している。第１貫通孔５ａにはヘッド本体３の上面３ａ側で吸引ホースが接続される。第１溝７はヘッド本体３の下面３ｂに設けられている。第１溝７は第１貫通孔５ａと接続されている。第１突起部９はヘッド本体３の下面３ｂに設けられている。【選択図】図１
2016087265.tif 000002
【特許請求の範囲】
【請求項１】
平板体からなるヘッド本体と、
前記ヘッド本体の上面から下面に貫通し、前記ヘッド本体の上面側で吸引ホースが接続される第１貫通孔と、
前記ヘッド本体の下面に設けられ、前記第１貫通孔と接続されている第１溝と、
前記ヘッド本体の下面に設けられた第１突起部と、を備えた吸引ヘッド。
【請求項２】
前記ヘッド本体は円盤形状であり、
前記第１貫通孔は前記ヘッド本体の中央部に設けられており、
複数の前記第１溝が前記ヘッド本体の下面の中央部から周縁部に向かって放射状に配置されている、請求項１に記載の吸引ヘッド。
【請求項３】
前記ヘッド本体は、周縁部に複数の凹部が形成された円盤形状を有している請求項１又は２に記載の吸引ヘッド。
【請求項４】
前記第１溝の前記第１貫通孔とは反対側の端部は前記ヘッド本体の側部に開口している、請求項１から３のいずれか一項に記載の吸引ヘッド。
【請求項５】
前記ヘッド本体の側部に設けられた前記第１溝の開口は、前記第１溝が広がる方向に逆テーパ形状を有している、請求項４に記載の吸引ヘッド。
【請求項６】
複数の前記第１突起部が設けられており、
前記第１突起部は、該吸引ヘッドが平坦面上に配置されたときに前記ヘッド本体の下面が前記平坦面に接触しないようにする位置に配置されている、請求項１から５のいずれか一項に記載の吸引ヘッド。
【請求項７】
前記第１突起部の高さは０.８ｍｍ〜１ｍｍの範囲内である、請求項１から６のいずれか一項に記載の吸引ヘッド。
【請求項８】
前記第１貫通孔の形成位置を取り囲んで前記ヘッド本体の下面に設けられた環状の第２溝を備え、
前記第２溝は前記第１溝と接続されている、請求項１から７のいずれか一項に記載の吸引ヘッド。
【請求項９】
前記ヘッド本体の上面に、前記第１貫通孔の形成位置を取り囲んで設けられた環状の第２突起部と、
前記ヘッド本体の上面から下面に向かって貫通し、前記第１貫通孔と前記第２突起部の間に配置された第２貫通孔と、をさらに備えている、請求項１から８のいずれか一項に記載の吸引ヘッド。
【請求項１０】
前記第２突起部は前記ヘッド本体の上面の周縁部に沿って配置されている、請求項９に記載の吸引ヘッド。
【請求項１１】
前記ヘッド本体の上面は、前記第１貫通孔の形成位置から周縁部に向かって下面側に傾斜しており、
前記第２貫通孔は、前記ヘッド本体の周縁部に配置されている請求項１０に記載の吸引ヘッド。
【請求項１２】
前記第２貫通孔は前記溝と重ならない位置に配置されている、請求項９から１１のいずれか一項に記載の吸引ヘッド。
【請求項１３】
前記ヘッド本体、前記貫通孔、前記溝及び前記突起部は射出成型によって一体成形されたものである、請求項１から１２のいずれか一項に記載の吸引ヘッド。
【請求項１４】
請求項１から１３のいずれか一項に記載の吸引ヘッドと、
前記吸引ヘッドの前記第１貫通孔に接続された吸引ホースと、
前記吸引ホースが接続された廃液収集容器と、を備えた吸引装置。
【発明の詳細な説明】
【技術分野】
【０００１】
本発明は、吸引ヘッド及び吸引装置に関するものである。
【背景技術】
【０００２】
外科手術の現場では手術中に様々な液体が排出されて床に流れだす。例えば整形外科における関節内視鏡を用いた手術においては生理食塩水が多量に使用される。手術中、当該液体は継続的に手術処理に使用されながら、同時に使用された液体は廃液として手術室の床に排出される。
【０００３】
このような廃液が手術中に床に放置されたままにしておくと、外科医や看護師等の手術室要員の転倒や汚染などの危険性がある。したがって、手術中といえども常に床から除去される必要がある。
【０００４】
しかし、外科医や看護師は、手術中は迅速な手術処理及びそのサポート等に専念する必要があるため、廃液処理のために手を割く無駄な時間を費やすことはできない。
したがって、外科手術中に外科医等の手術室要員の手を割くことなく、しかも簡単に効率よく効果的に床に漏出した廃液を除去しなければならない。
【０００５】
従来は、使い捨ての液体吸収マットを床に敷いておき、廃液をこれで受けて吸収させ、手術処理後はそのまま廃棄するという方法がとられている。また、廃液を収集する専用のゴムマットも提案されている（例えば特許文献１を参照。）。
【０００６】
これらのマットによる処理方法は、マットを越えて排出された多量の液体は処理できないという欠点がある。したがって、マットによる処理方法は、前述の危険性も完全に排除することはできない。
【０００７】
外科手術現場におけるこのような従来のマット方式の不具合を解消するために、床に排出された廃液を簡単に除去する装置が提案されている（例えば特許文献２を参照。）。この装置は、手術室の床から排出された廃液を回収処理するために、円形の平板体から成る吸引ヘッドと、廃液収集容器と、そしてこれらを接続する柔軟性のあるホースとから成る。
【０００８】
廃液収集容器はさらに他のホースにて通常手術室の壁等に備え付けられている大気圧よりも低い負圧の吸引力を供給する負圧供給口に接続される。壁に備え付けられている負圧供給口からの吸引力はホースと廃液収集容器を経由して床上に置かれた吸引ヘッドに加えられる。
【０００９】
床に接する円形平板体の吸引ヘッドは、その裏面に、中央部から周縁部まで放射状に延びる複数の液体流路溝を備えている。この流路溝は、床に置かれた状態で吸引ヘッドの周縁の側部に開口している。
【００１０】
吸引ヘッドに加えられた負圧吸引力は、吸引ヘッドの上側表面の中央部に立設されたホースが接続される中空の吸引ポストの中を通って裏面の液体流路溝に供給される。床に漏出した液体は吸引ヘッドの周縁の側部の開口部から吸引され、裏面の流路溝を経由して吸引ポストから吸い上げられる。吸引された液体は、さらにホースを経由して廃液収集容器に導かれる。空気よりも重い液体は廃液収集容器に落下収集される。
【００１１】
手術中に常時床に排出される液体を除去する際に外科医や看護師等の手術室要員は自己の足を用いて液体を除去したい位置に吸引ヘッドを移動させて吸引除去させることができる。したがって、手術室要員は、手を使用することなく効率的に床上の排出液を除去することができる。そして手術後は、吸引ヘッドは接続されたホースごと廃棄処分される。
【先行技術文献】
【特許文献】
【００１２】
【特許文献１】米国特許第４７２９４０４号明細書
【特許文献２】米国特許第５０１４３８９号明細書
【発明の概要】
【発明が解決しようとする課題】
【００１３】
特許文献２に開示された吸引ヘッドは、側部に設けられた開口のみを使って液体を吸引するので、吸引効率が低いという問題があった。
【００１４】
本発明は、吸引ヘッド及びそれを用いた吸引装置の液体の吸引効率を向上させることを目的とする。
【課題を解決するための手段】
【００１５】
本発明の実施形態にかかる吸引ヘッドは、平板体からなるヘッド本体と、上記ヘッド本体の上面から下面に貫通し、上記ヘッド本体の上面側で吸引ホースが接続される第１貫通孔と、上記ヘッド本体の下面に設けられ、上記第１貫通孔と接続されている第１溝と、上記ヘッド本体の下面に設けられた第１突起部と、を備えたものである。
【００１６】
本発明の実施形態にかかる吸引装置は、本発明の実施形態の上記吸引ヘッドと、上記吸引ヘッドの上記第１貫通孔に接続された吸引ホースと、上記吸引ホースが接続された廃液収集容器と、を備えたものである。
【発明の効果】
【００１７】
本発明の実施形態の吸引ヘッド及び吸引装置は、吸引装置の液体の吸引効率を向上させることができる。
【図面の簡単な説明】
【００１８】
【図１】吸引ヘッドの一実施形態の概略的な平面図、断面図及び側面図である。
【図２】同実施形態の概略的な平面図、側面図及び下面図である。
【図３】同実施形態の上面側の概略的な斜視図である。
【図４】同実施形態の下面側の概略的な斜視図である。
【図５】図１の領域Ｃを拡大して示した概略的な断面図である。
【図６】図１の領域Ｄを拡大して示した概略的な断面図である。
【図７】吸引装置の一実施形態の概略的な構成図である。
【図８】吸引ヘッドの他の実施形態の概略的な平面図、断面図及び側面図である。
【図９】同実施形態の概略的な平面図、側面図及び下面図である。
【図１０】同実施形態の上面側の概略的な斜視図である。
【図１１】同実施形態の下面側の概略的な斜視図である。
【図１２】図８の領域Ｇを拡大して示した概略的な断面図である。
【図１３】図８の領域Ｈを拡大して示した概略的な断面図である。
【図１４】吸引ヘッドのさらに他の実施形態の概略的な平面図、断面図及び側面図である。
【図１５】同実施形態の概略的な平面図、側面図及び下面図である。
【図１６】同実施形態の上面側の概略的な斜視図である。
【図１７】同実施形態の下面側の概略的な斜視図である。
【図１８】図１４の領域Ｋを拡大して示した概略的な断面図である。
【図１９】図１４の領域Ｌを拡大して示した概略的な断面図である。
【発明を実施するための形態】
【００１９】
本発明の実施形態の吸引ヘッドは、ヘッド本体の下面に設けられた第１突起部を備えているので、該吸引ヘッドが平坦面上に配置されたときに第１突起部によってヘッド本体の下面の少なくとも一部を平坦面から離すことができる。第１突起部でヘッド本体の下面を浮かせている方が第１溝の周辺から液体を吸い込み易くなるので、本発明の実施形態の吸引ヘッドは液体の吸引効率を向上させることができる。
【００２０】
ところで、従来の吸引ヘッドは、その裏面の全面が床に直接的に接触するようになっている。したがって、従来の吸引ヘッドは、床上を自由に滑り移動できるように、裏面の材料の摩擦係数が十分低いものとなるよう考慮しなければならないという煩わしがあった。
【００２１】
本発明の実施形態の吸引ヘッドは、第１突起部によってヘッド本体の下面の少なくとも一部を平坦面から離すことができるので、ヘッド本体の下面全体が平坦面と接している状態よりも平坦面との接触面積を小さくすることができる。平坦面との接触面積が小さくなると、該吸引ヘッドは吸引動作中でも平坦面上を移動しやすくなり、下面の素材の摩擦係数にあまり依存しなくなる。したがって、本発明の実施形態の吸引ヘッドは、例えば足での操作性が向上する。
【００２２】
本発明の実施形態の吸引ヘッドにおいて、例えば、上記ヘッド本体は円盤形状であり、上記第１貫通孔は上記ヘッド本体の中央部に設けられており、複数の上記第１溝が上記ヘッド本体の下面の中央部から周縁部に向かって放射状に配置されているようにしてもよい。ここで、円盤形状とは外周輪郭が完全な円形形状のもののみを意味するものではなく、楕円形状や円形外周の一部が切り欠かれた形状などが含まれる。
【００２３】
例えば、上記ヘッド本体は、周縁部に複数の凹部が形成された円盤形状を有しているようにしてもよい。この実施形態の吸引ヘッドは、ヘッド本体が上記凹部のない同一径の円盤形状である場合に比べてヘッド本体の外周の長さが長くなるので、周囲の液体に接する部分が増加し、液体吸引効率が向上する。
【００２４】
なお、上記ヘッド本体の形状は、円盤形状に限定されず、他の形状、例えば多角形や、多角形の角部が丸みを帯びた形状なのであってもよい。また、複数の上記第１溝は、放射状に配置されているものに限定されない。例えば、上記第１溝は湾曲していてもよい。
【００２５】
本発明の実施形態の吸引ヘッドにおいて、例えば、上記第１溝の上記第１貫通孔とは反対側の端部は上記ヘッド本体の側部に開口しているようにしてもよい。ただし、上記第１溝は上記ヘッド本体の側部に開口していなくてもよい。
【００２６】
また、上記ヘッド本体の側部に設けられた上記第１溝の開口は、上記第１溝が広がる方向に逆テーパ形状を有しているようにしてもよい。これにより、吸引ヘッドの周囲の液体が第１溝に吸引されやすくなる。
【００２７】
本発明の実施形態の吸引ヘッドにおいて、例えば、複数の上記第１突起部が設けられており、上記第１突起部は、該吸引ヘッドが平坦面上に配置されたときに上記ヘッド本体の下面が上記平坦面に接触しないようにする位置に配置されているようにしてもよい。これにより、吸引ヘッドと平坦面との接触面積をより小さくすることができる。
【００２８】
本発明の実施形態の吸引ヘッドにおいて、例えば、上記第１突起部の高さは０.８ｍｍ〜１ｍｍ（ミリメートル）の範囲内であることが好ましい。第１突起部の高さが高すぎると、平坦面上の液体の吸引効率が低下するからである。上記第１突起部の高さが０.８ｍｍ〜１ｍｍの範囲内であれば、坦面上の液体を効率よく吸引することができる。
【００２９】
本発明の実施形態の吸引ヘッドにおいて、例えば、上記第１貫通孔の形成位置を取り囲んで上記ヘッド本体の下面に設けられた環状の第２溝を備え、上記第２溝は上記第１溝と接続されているようにしてもよい。本発明の実施形態の吸引ヘッドでは、ヘッド本体の下面は第１突起部によって平坦面とは僅かに離間されるので、ヘッド本体の下面と平坦面の間に液体が浸入する。第１溝と接続された環状の第２溝が設けられていることにより、第２溝を介してヘッド本体の下面と平坦面の間の液体を第１溝にさらに効率よく吸引することができる。
【００３０】
ところで、特許文献２に開示された従来の吸引ヘッドは直径が２０ｃｍ程度の円盤状プレートから成るものである。手術中に吸引ヘッドを用いて漏出液体を吸引処理する際に、排出された液体は吸引ヘッドの上面の上にも多量に落下する。吸引ヘッド上に落下した液体は吸引ヘッド上から一旦床に流れ出た後に吸引ヘッドにて吸引される。すなわち、吸引ヘッドで床上の液体を吸引除去しながら、さらに吸引ヘッド上からも床に流れ出すということになる。この現象は、吸引ヘッドの直径がさらに大きくなれば、吸引ヘッド上面に落下する液体の量も当然さらに多くなるので、顕著になる。しかし、特許文献２に開示された吸引ヘッドは、側面に設けられた流路溝開口部からのみ液体を吸引する構成なので、液体吸引効率があまりよくないという問題があった。
【００３１】
そこで、本発明の実施形態の吸引ヘッドは、例えば、上記ヘッド本体の上面に、上記第１貫通孔の形成位置を取り囲んで設けられた環状の第２突起部と、上記ヘッド本体の上面から下面に向かって貫通し、上記第１貫通孔と上記第２突起部の間に配置された第２貫通孔と、をさらに備えているようにしてもよい。ヘッド本体の上面に流れ落ちた液体は、第２突起部によって吸引ヘッドの周囲に流出するのを遮られ、第２貫通孔を介してヘッド本体の下面側へ導かれ、ヘッド本体の下面に設けられた第１溝又は第１溝及び第２溝を介して吸引される。
【００３２】
例えば、上記第２突起部は上記ヘッド本体の上面の周縁部に沿って配置されているようにしてもよい。これにより、ヘッド本体の上面に流れ落ちたほとんどの液体は、吸引ヘッドの周囲に流出するのを遮られる。なお、上記第２突起部が配置される位置は、これに限定されず、任意である。
【００３３】
さらに、例えば、上記ヘッド本体の上面は上記第１貫通孔の形成位置から周縁部に向かって下面側に傾斜しており、上記第２貫通孔は上記ヘッド本体の周縁部に配置されているようにしてもよい。これにより、ヘッド本体の上面に流れ落ちた液体は、ヘッド本体の上面の傾斜によってヘッド本体の上面の周縁部側へ導かれやすくなり、第２貫通孔を介してヘッド本体の下面側へ導かれやすくなる。
【００３４】
また、例えば、上記第２貫通孔は上記溝と重ならない位置に配置されているようにしてもよい。例えば、複数の上記第１貫通孔が設けられている構成において、上記第２貫通孔は、隣り合う上記第１溝の間の中央の位置に配置されていることが好ましい。これにより、第２貫通孔を介してヘッド本体の下面側に導かれた液体を効率よく吸引できる。なお、上記第２貫通孔は上記第１溝もしくは上記第２溝又はそれらの両方と重なる位置に配置されていてもよい。
【００３５】
本発明の実施形態の吸引ヘッドにおいて、例えば、上記ヘッド本体、上記貫通孔、上記溝及び上記突起部は射出成型によって一体成形されたものであるようにしてもよい。例えば、一体成形された上記吸引ヘッドの材料は、ポリスチレンやポリプロピレン等の樹脂材料や、アルミニウム等の金属材料である。ただし、一体成形された上記吸引ヘッドの材料はこれらに限定されない。また、上記ヘッド本体、上記貫通孔、上記溝及び上記突起部は一体成形されたものに限定されない。また、上記吸引ヘッドは全体が一つの成形品として一体成形されてものであってもよいし、部分成形品の組み合わせであってもよい。
【００３６】
図１は、吸引ヘッドの一実施形態の概略的な平面図、断面図及び側面図である。図２は、この実施形態の概略的な平面図、側面図及び下面図である。図３は、この実施形態の上面側の概略的な斜視図である。図４は、この実施形態の下面側の概略的な斜視図である。図５は、図１の領域Ｃを拡大して示した概略的な断面図である。図６は、図１の領域Ｄを拡大して示した概略的な断面図である。
【００３７】
吸引ヘッド１は、プレート３（ヘッド本体）と、吸引ポール５と、吸引溝７（第１溝）と、台座突起９（第１突起部）と、環状吸引溝１１（第２溝）と、リブ１３（第２突起部）と、貫通吸引孔１５（第２貫通孔）を備えている。
【００３８】
プレート３は例えば円盤形状を有している。プレート３の直径は例えば２００ｍｍ程度である。プレート３の上面３ａは中央部から周縁部に向かって下面３ｂ側に傾斜している。プレート３の厚みは、例えば、中央部が３ｍｍ程度、周縁部が１.５ｍｍ程度である。また、プレート３の下面３ｂも中央部から周縁部に向かって下面３ｂ側に傾斜している。
プレート３の下面３ｂの中央部は、下面３ｂの周縁部に比べて、例えば１ｍｍ程度上面３ａ側に配置されている。
【００３９】
吸引ポール５は例えばプレート３の中央部に設けられている。吸引ポール５はプレート３の上面３ａから下面３ｂに貫通する吸引孔５ａ（第１貫通孔）を有している。吸引ポール５は、例えば、外径が７ｍｍ程度、内径が６ｍｍ程度、上面３ａからの高さが１５ｍｍ程度の円筒形状を有している。吸引孔５ａの下面３ｂ側の開口は、上面３ａ側の開口（直径６ｍｍ程度）に比べてならだかに広く形成されている。下面３ｂにおける吸引孔５ａの開口の寸法は例えば直径１０ｍｍ程度である。
【００４０】
吸引溝７はプレート３の下面３ｂに形成されている。例えば１２本の吸引溝７がプレート３の下面３ｂに設けられている。吸引溝７はプレート３の下面３ｂの中央部から周縁部に向かって放射状に配置されている。１２本の吸引溝７は例えば等間隔に配置されている。
【００４１】
吸引溝７の一端は吸引ポール５の下面３ｂ側の開口に接続されている。吸引溝７の他端はプレート３の側部に開口している。プレート３の側部に設けられた吸引溝７の開口７ａは、吸引溝７が広がる方向に逆テーパ形状を有している。
【００４２】
吸引溝７の断面は、例えば、底辺が２ｍｍ程度、高さが１ｍｍ程度の三角形状を有している。吸引溝７の開口７ａは例えば９０度の角度で広がっている。プレート３の側部における吸引溝７の開口７ａの最も広い部分の幅寸法は１１.６ｍｍ程度である。なお、吸引溝７の断面の形状は特に限定されず、三角形状以外の形状、例えば半円形状や四角形状などであってもよい。例えば、吸引溝７は、半径が１ｍｍ程度の半円形状であってもよい。なお、吸引溝７が半円形状である場合は、三角形状である場合に比べて、上から足で踏みつけたときの強度性や吸引効率が向上する。
【００４３】
台座突起９はプレート３の下面３ｂに形成されている。例えば１２個の台座突起９がプレート３の下面３ｂに設けられている。台座突起９は、吸引ヘッド１が平坦面上に配置されたときにプレート３の下面３ｂが平坦面に接触しないようにする位置に配置されている。台座突起９は、例えばプレート３の同心円上に吸引溝７と重ならないように等間隔で配列されている。台座突起９は、例えば隣り合う吸引溝７の間の中央の位置に配置されている。
【００４４】
台座突起９は、例えば、直径が１２ｍｍ程度、高さが０.８ｍｍ程度の略円筒形状を有している。台座突起９の先端の角部は丸みを帯びている。
【００４５】
環状吸引溝１１はプレート３の下面３ｂに形成されている。例えば２本の環状吸引溝１１がプレート３の下面３ｂに設けられている。各環状吸引溝１１は、吸引ポール５の形成位置を取り囲む位置に形成されている。例えば、２本の環状吸引溝１１は、互いに離間して配置されており、互いに異なるプレート３の同心円上に配置されている。環状吸引溝１１は、それぞれ異なる位置で吸引溝７と接続されている。
【００４６】
環状吸引溝１１は台座突起９と重ならない位置に形成されている。２本の環状吸引溝１１は台座突起９を挟む位置に形成されている。
環状吸引溝１１の断面は、例えば、半径が１ｍｍ程度の半円形状を有している。なお、環状吸引溝１１の断面の形状は特に限定されず、半円形状以外の形状、例えば三角形状や四角形状などであってもよい。例えば、吸引溝７は、底辺が２ｍｍ程度、高さが１ｍｍ程度の三角形状であってもよい。
【００４７】
リブ１３はプレート３の上面に形成されている。例えば、リブ１３は環状に配置されており、吸引ポール５の形成位置を取り囲む位置に配置されている。リブ１３は例えばプレート３の周縁部に沿って配置されている。リブ１３は、例えば、プレート３の上面３ａ高さが５.５ｍｍ程度、幅が２ｍｍ程度の寸法を有している。リブ１３の先端は丸みを帯びている。リブ１３はプレート３の補強材としても機能する。
【００４８】
貫通吸引孔１５は吸引ポール５とリブ１３の間に配置されている。貫通吸引孔１５はプレート３の上面３ａから下面３ｂに向かって貫通している。例えば１２個の貫通吸引孔１５がプレート３に形成されている。貫通吸引孔１５はプレート３の周縁部に配置されている。
【００４９】
例えば、貫通吸引孔１５は、プレート３の同心円上で、吸引溝７、台座突起９及び環状吸引溝１１と重ならない位置に等間隔に配列されている。貫通吸引孔１５は隣り合う吸引溝７間の中央の位置に配置されている。
【００５０】
貫通吸引孔１５は例えば２本の環状吸引溝１１よりもプレート３の周縁側に配置されている。貫通吸引孔１５は例えば内径が４ｍｍ程度の貫通孔によって形成されている。
【００５１】
吸引ヘッド１において、プレート３、吸引ポール５、吸引溝７、台座突起９、環状吸引溝１１、リブ１３及び吸引貫通孔１５は、例えば、射出成型によって一体成形されたものである。吸引ヘッド１は、例えば使い捨てが可能なようにプラスチック樹脂にて成形されていることが好ましい。吸引ヘッド１の樹脂材料は透明樹脂でも不透明樹脂でもよい。吸引ヘッド１が透明樹脂で形成されていれば、液体吸引状況を視認できる。
【００５２】
吸引ヘッド１の樹脂材料は例えばポリスチレンである。なお、吸引ヘッド１の樹脂材料は、例えばポリプロピレン等の他の樹脂であってもよい。また、吸引ヘッド１の材料は樹脂材料に限定されず、他の材料、例えばアルミニウム等の金属材料であってもよい。また、吸引ヘッド１は全体が一つの成形品として一体成形されてものであってもよいし、部分成形品の組み合わせであってもよい。
【００５３】
なお、吸引ヘッド１では、プレート３の下面３ｂは、その高さが、吸引ポール５が形成されている中央部から周縁部に向かって上面３ｂよりもゆるやか傾斜角度で、ゆるやかに低くなってゆく傾斜面を成している。仮に、上面３ａが傾斜面で下面３ｂが平坦面であるとすると、プレート３の中央部と周縁部との肉厚差が大きくなる。プレート３の中央部と周縁部との肉厚差が大きくなると、成形時に均一な樹脂の充填や冷却がしにくくなり、成形品にソリや歪が出やすくなる。そこで、プレート３の中央部と周縁部とで少しでも肉厚差を小さくするために、吸引ヘッド１のように、下面３ｂはプレート３の中央部から周縁部に向かって下面３ｂ側に傾斜していることが好ましい。さらに、下面３ｂの傾斜角度は上面３ａの傾斜角度と同じであるか、又はそれよりも小さくなっていることが好ましい。
【００５４】
なお、この実施形態とは逆に、プレート３の上面３ａが周縁部から中央部に向かって下面３ｂ側に傾斜している構成や、プレート３の周縁部と中央部からそれらの中間部分に向かって下面３ｂ側に傾斜している構成なども可能である。ただし、ソリ等の歪のない均一な成形品を得るという成形性の視点においては、この実施形態のように、プレート３の上面３ａが中央部から周縁部に向かって下面３ｂ側に傾斜している構成が好ましい。
【００５５】
図７は吸引装置の一実施形態の概略的な構成図である。
吸引装置２１は、吸引ヘッド１と、吸引ホース２３と、廃液収集容器２５と、を備えている。
【００５６】
吸引ヘッド１は図１から図６を参照して説明した実施形態のものである。吸引ヘッド１は例えば床などの平坦面２９上に配置されている。
【００５７】
吸引ヘッド１の吸引ポール５に吸引ホース２３が接続されている。吸引ホース２３は可撓性を有する。吸引ホース２３の他端は廃液収集容器２５に接続されている。廃液収集容器２５には、廃液収集容器２５内を減圧するための吸引ホース２７が接続されている。
【００５８】
吸引ホース２７を介して廃液収集容器２５内の気体が吸引されて廃液収集容器２５内が減圧されると、吸引ホース２３内及び吸引ポール５の吸引孔５ａ内が減圧される。
【００５９】
吸引ポール５の吸引孔５ａ内が減圧されることによって発生した吸引力は、吸引ヘッド１の下面３ｂ側に供給され、吸引ヘッド１の周囲の液体が吸引孔５ａに吸引される。吸引された液体は吸引ホース２７を経由して廃液収集容器２５に収容される。
【００６０】
吸引ヘッド１は、プレート３の下面３ｂに設けられた台座突起９を備えているので、吸引ヘッド１が平坦面２９上に配置されたときに台座突起９によってプレート３の下面３ｂを平坦面２９から僅かに離すことができる。この構成により、プレート３の下面３ｂと平坦面２９との間に薄い液体層が形成される。したがって、台座突起９でプレート３の下面３ｂを僅かに浮かせている方が、吸引溝７や環状吸引溝１１からの吸引力は上記液体層を介して伝達し易くなり、吸引溝７の開口７ａの周辺から液体を引き込み易くなる。さらに、吸引溝７の開口７ａの周囲からだけではなく、プレート３の周縁部のどの場所からでも、プレート３の周囲の液体をプレート３の下面３ｂと平坦面２９との間に導くことができる。したがって、吸引ヘッド１は液体の吸引効率を向上させることができる。
【００６１】
また、吸引ヘッド１は、台座突起９によってプレート３の下面３ｂを平坦面２９から離すことができるので、プレート３の下面３ｂ全体が平坦面２９と接している状態よりも平坦面２９との接触面積を小さくすることができる。平坦面２９との接触面積が小さくなると、吸引ヘッド１は吸引動作中でも平坦面２９上を移動しやすくなり、下面３ｂの素材の摩擦係数にあまり依存しなくなる。さらに、プレート３の下面３ｂと平坦面２９との間に薄い液体層が形成されるので滑り効果が生じる。したがって、吸引ヘッド１は、例えば足での操作性が向上する。
【００６２】
また、プレート３の側部に設けられた吸引溝７の開口７ａは、吸引溝７が広がる方向に逆テーパ形状を有している。これにより、吸引ヘッド１の周囲の液体が吸引溝７に吸引されやすくなる。
【００６３】
また、吸引ヘッド１では、プレート３の下面３ｂは台座突起９によって平坦面２９とは離間されるので、プレート３の下面３ｂと平坦面２９の間に液体が浸入する。吸引溝７と接続された環状吸引溝１１が設けられていることにより、環状吸引溝１１を介してプレート３の下面３ｂと平坦面２９の間の液体を吸引溝７に吸引することができる。
【００６４】
また、吸引ヘッド１は、プレート３の上面３ａに設けられた環状のリブ１３と、プレート３の上面３ａから下面３ｂに向かって貫通する吸引貫通孔１５とを備えている。プレート３の上面３ａに流れ落ちた液体は、リブ１３によって吸引ヘッド１の周囲に流出するのを遮られ、吸引貫通孔１５を介してプレート３の下面３ｂ側へ導かれる。吸引貫通孔１５を介してプレート３の下面３ｂ側へ導かれた液体は、プレート３の下面３ｂに設けられた吸引溝７及び第２溝を介して吸引ポール５の吸引孔５ａ内に吸引される。
【００６５】
また、リブ１３はプレート３の上面３ａの周縁部に沿って配置されているので、プレート３の上面３ａに流れ落ちたほとんどの液体は、吸引ヘッド１の周囲に流出するのを遮られ、吸引貫通孔１５を介してプレート３の下面３ｂ側へ導かれる。
【００６６】
さらに、プレート３の上面３ａは吸引ポール５の形成位置から周縁部に向かって下面３ｂ側に傾斜しており、吸引貫通孔１５はプレート３の周縁部に配置されている。これにより、プレート３の上面３ａに流れ落ちた液体は、プレート３の上面３ａの傾斜によってプレート３の上面３ａの周縁部側へ導かれやすくなり、吸引貫通孔１５を介してプレート３の下面３ｂ側へ導かれやすくなる。
【００６７】
また、吸引貫通孔１５は、隣り合う吸引溝７の間の中央の位置に配置されているので、吸引貫通孔１５を介してプレート３の下面３ｂ側に導かれた液体を効率よく吸引できる。
【００６８】
図８は、吸引ヘッドの他の実施形態の概略的な平面図、断面図及び側面図である。図９は、この実施形態の概略的な平面図、側面図及び下面図である。図１０は、この実施形態の上面側の概略的な斜視図である。図１１は、この実施形態の下面側の概略的な斜視図である。図１２は、図８の領域Ｇを拡大して示した概略的な断面図である。図１３は、図８の領域Ｈを拡大して示した概略的な断面図である。図８から図１３において、図１から図６と同じ機能を果たす部分には同じ符号が付されている。それらの部分の詳細な説明は省略される。
【００６９】
この実施形態の吸引ヘッド１は、図１から図６を参照して説明された吸引ヘッド１と比較して、プレート３の形状が異なっている。プレート３は、例えば周縁部に複数の凹部３ｃが形成された円盤形状を有している。例えば１２個の凹部３ｃがプレート３の周縁部に等間隔に配置されている。
【００７０】
凹部３ｃは例えば吸引溝７の延長線上に配置されている。凹部３ｃに吸引溝７の開口７ａが配置されている。例えば６個の台座突起９が等間隔に配置されている。リブ１３は例えば凹部３ｃを含むプレート３の周縁部に沿って配置されている。
【００７１】
この実施形態の吸引ヘッド１は、図１から図６を参照して説明された吸引ヘッド１と同様の作用及び効果を有する。さらに、この実施形態の吸引ヘッド１は、図１から図６を参照して説明された吸引ヘッド１と比較して、同一径の円盤形状であってもプレート３の外周の長さが長くなっている。したがって、この実施形態の吸引ヘッド１は、周囲の液体に接する部分が増加し、液体吸引効率が向上する。
【００７２】
図１４は、吸引ヘッドのさらに他の実施形態の概略的な平面図、断面図及び側面図である。図１５は、この実施形態の概略的な平面図、側面図及び下面図である。図１６は、この実施形態の上面側の概略的な斜視図である。図１７は、この実施形態の下面側の概略的な斜視図である。図１８は、図１４の領域Ｋを拡大して示した概略的な断面図である。図１９は、図１４の領域Ｌを拡大して示した概略的な断面図である。図１４から図１９において、図１から図６及び図９から図１３と同じ機能を果たす部分には同じ符号が付されている。それらの部分の詳細な説明は省略される。
【００７３】
この実施形態の吸引ヘッド１は、図９から図１３を参照して説明された吸引ヘッド１と比較して、プレート３の凹部３ｃの位置と吸引貫通孔１５の位置が異なっている。
凹部３ｃは例えば吸引溝７の延長線上とは重ならない位置でプレート３の周縁部に配置されている。吸引溝７の開口７ａは、凹部３ｃとは異なる位置でプレート３の周縁部に配置されている。
吸引貫通孔１５は、例えば、プレート３の周縁部と外周側の環状吸引溝１１との間の位置で、吸引溝７と重なる位置に形成されている。
【００７４】
この実施形態の吸引ヘッド１は、図１から図６を参照して説明された吸引ヘッド１と同様の作用及び効果を有する。さらに、この実施形態の吸引ヘッド１は、図９から図１３を参照して説明された吸引ヘッド１と同様に、図１から図６を参照して説明された吸引ヘッド１と比較してプレート３の外周の長さが長くなっているので、液体吸引効率が向上する。
【００７５】
なお、図９から図１３を参照して説明された吸引ヘッド１、及び図１４から図１９を参照して説明された吸引ヘッド１は、図７を参照して説明された吸引装置２１の吸引ヘッド１に適用可能である。
【００７６】
以上、本発明の実施形態を説明したが、材料、形状、配置、寸法等は一例であり、本発明の実施形態はこれらに限定されるものではなく、特許請求の範囲に記載された本発明の範囲内で種々の変更が可能である。
【符号の説明】
【００７７】
１  吸引ヘッド
３  プレート（ヘッド本体）
５ａ  吸引孔（第１貫通溝）
７  吸引溝（第１溝）
９  台座突起（第１突起部）
１１  環状吸引溝（第２溝）
１３  リブ（第２突起部）
１５  貫通吸引孔（第２貫通孔）
２１  吸引装置
２３  吸引ホース
２５  廃液収集容器
２９  平坦面
【図１】
2016087265.tif 000003
【図２】
2016087265.tif 000004
【図３】
2016087265.tif 000005
【図４】
2016087265.tif 000006
【図５】
2016087265.tif 000007
【図６】
2016087265.tif 000008
【図７】
2016087265.tif 000009
【図８】
2016087265.tif 000010
【図９】
2016087265.tif 000011
【図１０】
2016087265.tif 000012
【図１１】
2016087265.tif 000013
【図１２】
2016087265.tif 000014
【図１３】
2016087265.tif 000015
【図１４】
2016087265.tif 000016
【図１５】
2016087265.tif 000017
【図１６】
2016087265.tif 000018
【図１７】
2016087265.tif 000019
【図１８】
2016087265.tif 000020
【図１９】
2016087265.tif 000021